(57)【要約】【課題】簡単な構造で底部の組立がワンタッチで確実に行われ、底部からの改ざん防止効果が高く、確実に緩衝片が組み立てられて収容物を保護する包装用箱を提供する。【解決手段】箱体形成片１２には、側面１４，１６，１８，２０で形成される一開口端部を閉鎖する第一底蓋片４０と第二底蓋片７２を有する。第一底蓋片４０の両側に位置した一対の底フラップ５４，８６と、第一底蓋片４０と第二底蓋片７２には、隣接する底フラップ５４，８６に糊付けされる底部糊付片４４，７６と、隣接する底フラップ５４，８６に向かって突出する差込片４８，８０が設けられている。一対の底フラップ５４，８６には差込片４８，８０が差し込まれるスリット５８，９０が設けられている。組立状態で、差込片４８，８０が、スリット５８，９０に差し込まれて底部分がロックされる。【選択図】図１
2008056262.tif 000002
【特許請求の範囲】
【請求項１】
一枚のブランクシートから一体的に打ち抜かれた箱体形成片から成り、前記箱体形成片には、互いに連接された側面と、前記箱体形成片が組立状態のとき前記連接された側面で形成される箱体の一開口端部を閉鎖する底部分が設けられ、前記底部分は、前記一側面に連続し前記底部分の一部を覆う第一底蓋片と、この第一底蓋片の両側の側面から延出した一対の底フラップと、この第一底蓋片に対向する側面から延出した第二底蓋片が設けられ、前記第一底蓋片と第二底蓋片には、隣接する一方の前記底フラップに糊付けされる糊付片と、隣接する他方の前記底フラップに向かって突出する差込片が各々設けられ、前記一対の底フラップには前記差込片が差し込まれるスリットが設けられ、前記箱体形成片の組立状態で前記差込片が前記スリットに差し込まれて底部分がロックされることを特徴とする包装用箱。
【請求項２】
前記スリットは、前記箱体形成片の必要部分を接着した後に組み立てる際に、前記第一底蓋片と第二底蓋片の前記差込片が前記底フラップの表面を摺動する軌跡に対して交差する方向に形成されているとともに、前記第一底蓋片と第二底蓋片、及び前記一対の底フラップが面一となる状態に組み立てられたときに、前記スリットの端部が、前記差込片の突出する段部付近に位置し、前記差込片の前記段部が前記スリットの端部に係止されることを特徴とする請求項１記載の包装用箱。
【請求項３】
前記箱体形成片には、収容物を保持する緩衝用の仕切り片が設けられ、前記仕切り片は前記包装用箱の組立状態で底部分から前記一側面に対して平行に立ち上がる立上片と、前記立上片に連続し前記底部分に対して略平行に位置する上面片と、前記上面片に連続し前記一側面に糊付けされる仕切り用糊付片が互いに折罫線で区切られて設けられ、前記立上片と前記上面片の間の折罫線上には、収容物が嵌合される打ち抜き部が形成されていることを特徴とする請求項１又は２記載の包装用箱。
【請求項４】
前記緩衝用仕切り片は、前記底フラップの端部に連接して設けられていることを特徴とする請求項３記載の包装用箱。
【発明の詳細な説明】
【技術分野】
【０００１】
この発明は、瓶等の収容物を包装する包装用箱に関する。
【背景技術】
【０００２】
従来、ブランクシートから一体的に打ち抜かれた箱体形成片を折り曲げて糊付けしワンタッチで引き起こして組立可能に形成される包装箱がある。このような包装箱には、特許文献１に開示されているように、底部からの改ざんを防止して、また組立性が良好で生産効率が良い包装箱がある。この包装箱は、底部分の一部を覆う底蓋片が設けられ、この底蓋片の両側に一対の下フラップと、前記底蓋片に対向して設けられ底部分のほぼ全面を閉鎖する内底片が設けられている。内底片には所定位置に切断線が設けられ、底蓋片には切断線に差し込まれて底部分をロックする突起片が設けられている。
【特許文献１】特開２００６−９６３５１号公報
【発明の開示】
【発明が解決しようとする課題】
【０００３】
上記従来の技術の場合、大きな内底片に底蓋片を差し込むため、ワンタッチでの組み立てがし辛いものである。さらに、ロックする箇所が１個しかなく、改ざん防止効果が不十分なものであった。
【０００４】
また、包装箱には瓶等の衝撃に弱い収容物を緩衝片で保持して収容するものがあるが、緩衝片等が一体に設けられて折り畳み状態での箱体に厚みがあると、組立状態でも折罫線の角度が正確に直角にならず、折り畳み状態での角度に戻ろうとする力が大きく働く。従って、底蓋片も側面に対して直角にならず、底面から浮きやすい構造となる場合があった。
【０００５】
この発明は、上記従来の技術の問題点に鑑みてなされたものであり、簡単な構造で底部の組立がワンタッチで確実に行われ、底部からの改ざん防止効果が高く、確実に緩衝片が組み立てられて収容物を保護し収容する包装用箱を提供することを目的とする。
【課題を解決するための手段】
【０００６】
本発明は、一枚のブランクシートから一体的に打ち抜かれた箱体形成片から成り、前記箱体形成片には、互いに連接された側面と、前記箱体形成片が組立状態のとき前記連接された側面で形成される箱体の一開口端部を閉鎖する底部分が設けられている包装用箱である。前記底部分は、前記一側面に連続し前記底部分の一部を覆う第一底蓋片と、この第一底蓋片の両側の側面から延出した一対の底フラップと、この第一底蓋片に対向する側面から延出した第二底蓋片が設けられている。前記第一底蓋片と第二底蓋片には、隣接する一方の前記底フラップに糊付けされる糊付片と、隣接する他方の前記底フラップに向かって突出する差込片が各々設けられ、前記一対の底フラップには前記差込片が差し込まれるスリットが設けられている。前記箱体形成片の組立状態で、前記差込片が前記スリットに差し込まれて底部分がロックされる。
【０００７】
また前記スリットは、前記箱体形成片の必要部分を接着した後に組み立てる際に、前記第一底蓋片と第二底蓋片の前記差込片が前記底フラップの表面を摺動する軌跡に対して交差する方向に形成されているとともに、前記第一底蓋片と第二底蓋片、及び前記一対の底フラップが面一となる状態に組み立てられたときに、前記スリットの端部が、前記差込片の突出する段部付近に位置し、前記差込片の前記段部が前記スリットの端部に係止される。
【０００８】
また前記箱体形成片には、収容物を保持する緩衝用の仕切り片が設けられ、前記仕切り片は前記包装用箱の組立状態で底部分から前記一側面に対して平行に立ち上がる立上片と、前記立上片に連続し前記底部分に対して略平行に位置する上面片と、前記上面片に連続し前記一側面に糊付けされる仕切り用糊付片が互いに折罫線で区切られて設けられ、前記立上片と前記上面片の間の折罫線上には、収容物が嵌合される打ち抜き部が形成されている。
【０００９】
また前記緩衝用仕切り片は、前記底フラップの端部に連接して設けられている。さらに、前記スリットは、組み立て状態で前記糊付片の側縁部に位置して、ほぼ隠れるように形成されている。
【発明の効果】
【００１０】
本発明の包装用箱は、簡単な構造により糊付け後の状態で容易にワンタッチ組み立てが可能であり、底部分は、第一底蓋片と第二底蓋片、一対の底フラップが、組立状態で互いにロックされ、機械による自動組立や手作業の組立のいずれによっても安定して組み立てることができる。また、箱体内に緩衝用の仕切り片が確実に組み立てられ、収容物を保護して収容することができる。さらに、底部からの改ざん防止効果も高い。
【発明を実施するための最良の形態】
【００１１】
以下、この発明の実施形態について図面に基づいて説明する。図１〜図５はこの発明の一実施形態を示すもので、この実施形態の包装用箱１０は、厚紙などの一枚のブランクシートを打ち抜いて形成された箱体形成片１２を組み立てて形成されている。
【００１２】
図４は、箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１４，１８が長くて互いにほぼ等しく、側面１６，２０はやや短くて互いにほぼ等しい。さらに側面２０の側縁部には、包装用箱１０の組立状態で側面１４の裏面に糊付けされる糊付片２２が設けられている。側面１４，１６，１８，２０、糊付片２２は、各々折罫線２４，２６，２８，３０で区切られている。
【００１３】
側面１４において、側面同士の連接方向に対して直角な方向の一端部には、上蓋片３２が折罫線３４で区切られて設けられている。上蓋片３２の折罫線３４の反対側の端部には、さらに差込片３６が折罫線３８で区切られて設けられている。側面１４の、折罫線３４と反対側の端部には、第一底蓋片４０が折罫線４２で区切られて設けられている。第一底蓋片４０は、折罫線４２を下底とする台形状に形成され、折罫線４２から折罫線４２に対して平行な上底である端部４０ａまでの長さは、包装用箱１０の組立状態で底部分の中心線付近に位置する長さ、つまり側面１６，２０の約半分の幅に設けられている。第一底蓋片４０の、側面１６に隣接する傾斜した側縁部には、略三角形の底部糊付片４４が折罫線４６で区切られて設けられている。さらに、第一底蓋片４０の端部４０ａと、底部糊付片４４の反対側に位置する傾斜した側縁部４０ｂとの角部には、差込片４８が一体に形成されている。差込片４８は、端部４０ａ、側縁部４０ｂよりも外側に所定幅突出して設けられ、端部４０ａとの段差である縁部４８ａと、側縁部４０ｂとの段差である縁部４８ｂが形成され、外側に彎曲して丸められている。
【００１４】
側面１６の、側面１４の折罫線３４に隣接する端部には、台形状の上フラップ５０が折罫線５２で区切られて設けられている。側面１６の、折罫線５２と反対側の端部には、台形状の底フラップ５４が折罫線５６で区切られて設けられている。底フラップ５４のほぼ中心には、１本の切込線で形成されたスリット５８が形成されている。スリット５８の形状は、底フラップ５４の、折罫線２６と折罫線５６の交点を通る対角線上に両端部がほぼ位置し、中央部分は、折罫線２４と折罫線５６の交点の反対側に向かって膨出する曲線で設けられている。
【００１５】
底フラップ５４の、折罫線５６と反対側の端部には、緩衝用の仕切りを形成する立上片６０、上面片６２、糊付片６４が互いに平行に連接して形成されている。連接方向は、側面１４，１６，１８，２０に対してほぼ直角であり、連接している幅方向は同じ長さであり、連接方向の長さは立上片６０と上面片６２が底フラップ５４とほぼ等しく、仕切り用糊付片６４は少し短く形成されている。底フラップ５４、立上片６０、上面片６２、仕切り用糊付片６４は、各々折罫線６６，６８，７０で区切られている。折罫線６６には、折り曲げ易くするために２本の切込線が折罫線６６に沿って設けられている。折罫線６８のほぼ中心には打ち抜き部７１が形成されている。打ち抜き部７１の形状は、立上片６０側は円形に切り取り、上面片６２側は矩形に切り取ったものである。
【００１６】
側面１８の、側面１６の折罫線５６に隣接する端部には、第二底蓋片７２が折罫線７４で区切られて設けられている。第二底蓋片７２は台形状に形成され、折罫線７４から折罫線７４に対して平行な端部７２ａまでの長さは、包装用箱１０の組立状態で底部分の中心線付近に位置する長さ、つまり側面１６，２０の約半分の幅に設けられている。第二底蓋片７２の、側面２０に隣接する傾斜した側縁部には、略三角形の底部糊付片７６が折罫線７８で区切られて設けられている。第二底蓋片７２の端部７２ａと、底部糊付片７６の反対側に位置する傾斜した側縁部７２ｂとの角部には、差込片８０が一体に形成されている。差込片８０は、端部７２ａ、側縁部７２ｂよりも外側に所定幅突出して、端部７２ａとの段差である縁部８０ａと、側縁部４０ｂとの段差である縁部８０ｂが形成され、外側に彎曲して丸められている。
【００１７】
側面２０の、側面１６の折罫線５２に近い端部には、台形状の上フラップ８２が折罫線８４で区切られて設けられている。側面２０の、折罫線８４と反対側の端部には、台形状の底フラップ８６が折罫線８８で区切られて設けられている。底フラップ８６のほぼ中心には、１本の切込線で形成されたスリット９０が形成されている。スリット９０の形状は、底フラップ８６の、折罫線３０と折罫線８８の交点を通る対角線上に両端部がほぼ位置し、中央部分は、折罫線２８と折罫線８８の交点の反対側に向かって膨出する曲線で設けられている。
【００１８】
底フラップ８６の、折罫線８８と反対側の端部には、緩衝用の仕切りを形成する立上片９２、上面片９４、仕切り用糊付片９６が互いに平行に連接して形成されている。連接している幅方向は同じ長さであり、連接方向の長さは立上片９２と上面片９４が底フラップ８６とほぼ等しく、仕切り用糊付片９６は少し短く形成されている。底フラップ８６、立上片９２、上面片９４、仕切り用糊付片９６は、各々折罫線９８，１００，１０２で区切られている。折罫線９８には、折り曲げ易くするために２本の切込線が折罫線９８に沿って設けられている。折罫線１００のほぼ中心には打ち抜き部１０４が形成されている。打ち抜き部１０４の形状は、立上片９２側は半円形に切り取り、上面片９４側は矩形に切り取ったものである。
【００１９】
次に、この実施形態の包装用箱１０の組立方法の一例について説明する。なお、ここでは図４が包装用箱１０の箱体形成片１２の表面を見たものであり、箱体形成片１２の表面が凸になる折り方を正折り、そして裏面が凸になる折り方を逆折りと称する。
【００２０】
まず、仕切り用糊付片６４の表面に糊１０６を、仕切り用糊付片９６の表面に糊１０８を塗布する。次に、図５に示すように折罫線６８，１００を正折りし、さらに折罫線５６，８８を正折りして仕切り用糊付片６４の表面が側面１６の裏面に、仕切り用糊付片９６の表面が側面２０の裏面に糊付けする。次に底部糊付片４４の裏面に糊１１０を、底部糊付片７６の裏面に糊１１２を塗布し、折罫線４２，７４を正折りしながら折罫線４６，７８を逆折りする。そして、糊付片２２の表面に糊１１４を塗布し、折罫線２８を正折りし、次に折罫線２４を正折りし、側面１４の裏面が糊付片２２の表面に糊付けされる。このとき、糊１１０は底フラップ５４のスリット５８の彎曲内側に位置し、底部糊付片４４が底フラップ５４に糊付けされる。スリット５８の上に底部糊付片４４の周縁部がほぼ一致する位置となる。これと同様に、糊１１２は底フラップ８６のスリット９０の彎曲内側に位置し、底部糊付片７６が底フラップ８６に糊付けされる。スリット９０の上に底部糊付片７６の周縁部がほぼ一致する位置となる。なお、箱体形成片１２を組立てる順番はこれ以外でもよく、適宜変更可能である。
【００２１】
次に商品を収容し包装する工場等において、折罫線２４，２６，２８，３０を各々９０度に正折りして四角形の箱体にする。このとき、第一底蓋片４０の底部糊付片４４は底フラップ５４に、第二底蓋片７２の底部糊付片７６は底フラップ８６糊付けされているため、二つ折りされていた折罫線４２，５６，７４，８８は自動的に引き起こされてほぼ９０°に開き、底部分が形成される。そして、第二底蓋片７２の差込片８０が、底フラップ５４のスリット５８に差し込まれて縁部８０ｂがスリット５８の端部に係止される。第一底蓋片４０の差込片４８が底フラップ８６のスリット９０に差し込まれて縁部４８ｂがスリット９０の端部に係止される。スリット５８，９０は、底部分が組み立てられる際に、第一底蓋片４０と第二底蓋片７２の差込片４８，８０が底フラップ５４，８６の表面を摺動する軌跡に対して交差する方向に形成されているため、円滑に差し込まれる。これにより、第一底蓋片４０、第二底蓋片７２、底フラップ５４、底フラップ８６が互いに確実にロックされ、箱体の底部分の形状を保つ。また、スリット５８，９０は、組み立て状態で底部糊付片４４，７６の側縁部に位置して、ほぼ隠れるように形成されている。
【００２２】
また、底フラップ５４が側面１６に対してほぼ９０°に引き起こされることにより、立上片６０、上面片６２仕切り用糊付片６４が互いに９０°に位置し、緩衝用の仕切りをＬ字形に形成する。打ち抜き部７１が箱体の中心に開口し、収容物を嵌合する部分となる。また、立上片９２、上面片９４、仕切り用糊付片９６も同様に互いに９０°に位置し、緩衝用の仕切りをＬ字形に形成する。打ち抜き部１０４が箱体の中心に開口し打ち抜き部７１に対向して位置し、収容物を嵌合する部分となる。これにより、箱体内側の両端に緩衝用の仕切りが形成される。また、第一底蓋片４０の差込片４８縁部４８ａと、第二底蓋片７２の差込片８０縁部８０ａが互いに当接し、箱体が折り畳み状態に戻ることを防いでいる。
【００２３】
この状態で収容物である商品を箱体の中に入れ、箱体内側の両端に形成された一対の緩衝用の仕切りの間に入れ、打ち抜き部７１、１０４の間に嵌合する。そして折罫線５２，８４で上フラップ５０，８２を正折りし、その後折罫線３４で上蓋片３２を正折りし、さらに折罫線３８を正折りして差込片３６を側面１８の内側に差し込み、閉鎖する。
【００２４】
商品の使用後に包装用箱１０を破棄する等のために折り畳むときは、第一底蓋片４０と第二底蓋片７２を箱体内側に向かって一定以上の力で押す。すると、第一底蓋片４０、第二底蓋片７２、底フラップ５４、底フラップ８６のロックが解除され、底部分が外されて折罫線２４，２８で正折りされて平坦となり、破棄しやすい状態となる。
【００２５】
この実施形態の包装用箱１０によれば、簡単な構造によりワンタッチで箱体を形成することができ、底フラップ５４と第二底蓋片７２、底フラップ８６と第一底蓋片４０を互いに確実にロックすることができる。これにより、組み立てた箱体が平坦に折り畳んだ状態に後戻りせず、組立作業の効率が良好となる。そして、底フラップ５４，８６には、緩衝用の仕切りを形成する立上片６０，９２、上面片６２，９４が連接して設けられ、底フラップ５４，８６が確実に底部分に対して平行にロックされることにより、互いに９０°に保持されて収容物が入れやすくなり、このことからも作業効率が良い。また、包装用箱１０の外側から第一底蓋片４０または第二底蓋片７２を引き出そうとしても、第一底蓋片４０、第二底蓋片７２の差込片４８，８０の縁部４８ａ，８０ａが、底フラップ５４，８６のスリット５８，９０に係止されているため開くことができず、改ざんを防止することができる。
【００２６】
なお、この発明の包装容器は上記実施形態に限定されるものではなく、緩衝用の仕切片は、底フラップ以外の部材に連続して設けられてもよく、形状も収容物の形状や数に合わせて適宜変更可能である。また、緩衝用の仕切片がないものでも良い。底フラップのスリットの形状と、各底蓋片の差込片の形状は、組立時に円滑に互いに確実にロックされ、一定以上の力でロックが解除されるものであれば良い。
【図面の簡単な説明】
【００２７】
【図１】この発明の一実施形態の包装用箱の部分破断斜視図である。
【図２】この実施形態の部分破断斜視図である。
【図３】この実施形態の包装用箱の底面図である。
【図４】この実施形態の包装用箱の展開図である。
【図５】この実施形態の包装用箱の組立工程示す展開図である。
【符号の説明】
【００２８】
１０  包装用箱
１２  箱体形成片
１４，１６，１８，２０  側面
２２  糊付片
４０  第一底蓋片
４４，７６  底部糊付片
４８，８０  差込片
５４，８６  底フラップ
５８，９０  スリット
６０，９２  立上片
６２，９４  上面片
７１，１０４  打ち抜き部
７２  第二底蓋片
６４，９６  仕切り用糊付片
【図１】
2008056262.tif 000003
【図２】
2008056262.tif 000004
【図３】
2008056262.tif 000005
【図４】
2008056262.tif 000006
【図５】
2008056262.tif 000007